(57)【要約】  【課題】  一部のノードのみに障害測定器を置くことにより全てのネットワークの障害を検知でき、また障害箇所の特定を容易にできる光クロスコネクトおよびこれを用いた光ネットワーク経路監視システムを提供することにある。  【解決手段】  光ネットワークのノードである光クロスコネクト１１ａ〜１１ｄは、それぞれ光折り返しポート１３ａ〜１３ｄを有している。該光折り返しポートは、光クロスコネクトの外付けポートであっても内蔵ポートであってもよい。光ネットワーク経路監視システムは、光ネットワーク経路の中の未使用経路を設定し、該未使用経路の終端を光折り返しポートに接続するネットワーク経路制御装置３と、該未使用経路に品質測定用の光信号を送出するともに、光折り返しポートで折り返されて返ってきた光信号を受信し、未使用経路の障害の有無または障害の内容を判定するネットワーク経路監視装置２とを備える。  【選択図】  図２
2006197095.tif 000002
【特許請求の範囲】
【請求項１】
光信号が入出力する複数のポートと、該複数のポート間の光経路を切り換える光経路切替手段と、入力してきた光信号を折り返す光折り返し手段とを備えたことを特徴とする光クロスコネクト。
【請求項２】
請求項１に記載の光クロスコネクトにおいて、
前記光折り返し手段は、前記複数のポートの１つに形成された外付けポートであることを特徴とする光クロスコネクト。
【請求項３】
請求項１に記載の光クロスコネクトにおいて、
前記光折り返し手段は、前記複数のポート間の光経路の１つに形成された内蔵ポートであることを特徴とする光クロスコネクト。
【請求項４】
請求項１ないし３のいずれかに記載の光クロスコネクトをノードとする光ネットワークの経路監視システムにおいて、
光ネットワーク経路の中の未使用経路を検索、設定し、複数の該未使用経路から構成される光経路の終端を前記光折り返し手段に接続するネットワーク経路制御装置と、
前記ネットワーク経路制御装置によって設定された経路に品質測定用の光信号を送出するともに、前記光折り返し手段で折り返されて返ってきた光信号を受信し、前記経路の障害の有無、品質または障害の内容を判定するネットワーク経路監視装置とを具備したことを特徴とする光ネットワーク経路監視システム。
【請求項５】
請求項４に記載の光ネットワーク経路監視システムにおいて、
前記ネットワーク経路制御装置は、前記経路に関与している光クロスコネクトが、該未使用経路の遠い方から近い方に向かって、あるいはその逆の方向に向かって、前記光信号を順次折り返すように経路を設定し、前記ネットワーク経路監視装置は、該折り返された光信号の品質を測定することにより、障害箇所を特定するようにしたことを特徴とする光ネットワーク経路監視システム。
【請求項６】
請求項４または５に記載の光ネットワーク経路監視システムにおいて、
該光ネットワーク経路監視システムは、新たな未使用経路が追加された場合や、使用中の経路が開放され、未使用経路が発生した場合には、該未使用経路や開放された経路の正常性確認や障害検知を自動的に行うことを特徴とする光ネットワーク経路監視システム。
【請求項７】
請求項４ないし６のいずれかに記載の光ネットワーク経路監視システムにおいて、
設定した監視経路のビットレート、フォーマットなどの物理的制約条件に応じて、試験用の光信号のビットレートを変更して送受信できることを特徴とする光ネットワーク経路監視システム。
【発明の詳細な説明】
【技術分野】
【０００１】
この発明は光クロスコネクトおよびこれを用いた光ネットワーク経路監視システムに関し、特に、簡易に、将来設定する可能性のある光ネットワーク経路が正常か否かを監視できる光クロスコネクトおよびこれを用いた光ネットワーク経路監視システムに関する。
【背景技術】
【０００２】
光クロスコネクトを用いた光ネットワークは、物理的な配線はされていても、装置障害、伝送路障害などにより、光信号が正常に伝送されるかどうかは、信号疎通させるまで知ることが難しい。そこで、従来は、人が光ネットワーク経路の始点と終点もしくはある経路の始点と終点に赴き、該経路もしくは経路に測定器を繋ぎ経路設定を行い、光信号を該始点から終点に送って、光信号が正常に伝送できるか否かを調べていた。
【０００３】
他の光ネットワーク経路の障害発生の検出方法としては、例えば下記の特許文献１に記されているものがある。この障害発生検出方法は、現用系と予備系の複数の光伝送経路を形成しておき、出力処理用ルータは入力処理用ルータからの光データを受信できない時に障害が発生したと判断して該障害発生を障害検出回路に通知し、該障害発生の通知を受けた障害検出回路が障害発生点の探索を開始するようにしたものである。
【特許文献１】特開２００２−３５３９０７号公報
【発明の開示】
【発明が解決しようとする課題】
【０００４】
しかしながら、上記した前者の従来技術は、経路設定、測定機材の接続などの人手のかかる方法であるので、任意の拠点間で即座に光経路障害検知および品質測定を行うのは困難であるという問題がある。
【０００５】
また、後者の従来技術は、全てのルータに障害検出回路を設けなければならないという問題、あるいは障害検出回路が障害検出用の光信号を経路の逆方向に送出して１区間ずつ障害検知を行うようにしているため障害箇所の特定が複雑でありかつ時間がかかる等の問題があった。
【０００６】
この発明の目的は、前記した従来技術の問題点を解消し、一部のノードのみに障害測定器を置くことにより全てのネットワークの障害検知、品質管理ができ、また障害箇所の特定を簡易にできる光クロスコネクトおよびこれを用いた光ネットワーク経路監視システムを提供することにある。
【課題を解決するための手段】
【０００７】
前記した目的を達成するために、本発明は、光信号が入出力する複数のポートと、該複数のポート間の光経路を切り換える光経路切替手段と、入力してきた光信号を折り返す光折り返し手段とを備えた光クロスコネクトを提供する点に第１の特徴がある。
【０００８】
また、本発明は、前記光クロスコネクトをノードとする光ネットワークの経路監視システムにおいて、光ネットワーク経路の中の未使用経路を設定し、該未使用経路の終端を前記光折り返し手段に接続するネットワーク経路制御装置と、前記未使用経路に品質測定用の光信号を伝送路の物理条件を考慮して送出するともに、前記光折り返し手段で折り返されて返ってきた光信号を受信し、前記未使用経路の障害の有無または障害の内容を判定する光ネットワーク経路監視装置とを具備した点に第２の特徴がある。
【発明の効果】
【０００９】
本発明によれば、光ネットワーク経路の障害の有無を容易に検知できる光ネットワークを構築するためのノード素子を提供することができる。
【００１０】
また、本発明の光ネットワーク経路監視システムによれば、一部のノードのみに障害測定器を置くことにより、ネットワークの全ての未使用経路の障害の有無、障害の内容の検知、または障害箇所の特定等を容易に行うことができるようになる。
【発明を実施するための最良の形態】
【００１１】
以下に、図面を参照して、本発明を詳細に説明する。図１は、本発明の一実施形態の光ネットワーク経路監視システムのシステム図を示す。
【００１２】
図において、１は光ネットワークであり、複数の光クロスコネクト（以下、ＯＸＣと呼ぶ）１１ａ、１１ｂ、・・・、１１ｇ、・・・と、これらの間を結ぶ伝送システム（光ファイバーケーブル）から構成されている。ＮＷ（ネットワーク）経路監視装置２は、前記光ネットワーク１の経路に障害が発生しているか否かの監視、品質測定などをする。ＮＷ（ネットワーク）経路制御装置３は、ＮＷ経路監視装置２からの指示に従って、検査すべき経路の設定、使用経路・未使用経路の状態探索等を行う。運用・管理装置４は、データベースを有し、ＮＷ経路監視装置２からの監視結果およびＮＷ経路制御装置３からの経路情報などの制御情報を受信し該データベースの更新をする。ここでは、ＮＷ経路制御装置３は集中的に各ノードを制御する形態を図示しているが、ＮＷ経路制御装置３が各ノード内に分散的に具備されている構成であってもよい。なお、図中の光ネットワーク１中の実線は障害検出用等の光信号、点線はＯＸＣ１１ａ〜１１ｇをスイッチングする等の制御信号を示す。
【００１３】
次に、前記光ネットワーク１の具体例を、図２を参照して説明する。なお、図２中の図１と同一の符号は同一または同等物を示す。
【００１４】
図示されているように、ＯＸＣ１１ａ〜１１ｄは、それぞれ少なくとも１個の折り返しポート１３ａ〜１３ｄを有し、各ＯＸＣ１１ａ〜１１ｄ間は伝送システム１２ａ〜１２ｅで結ばれている。前記伝送システム１２ａ〜１２ｅは、例えば波長分割多重（ＷＤＭ）された光信号を伝送する。本実施形態では、前記のように、ＯＸＣ１１ａ〜１１ｄがそれぞれ少なくとも１個の折り返しポート１３ａ〜１３ｄを有しているので、任意の経路を形成しその終端を折り返しポートとし、ＮＷ経路監視装置２から経路監視用の光信号を出力し、該光信号が帰還してきたか否か、あるいは帰還してきた光信号を該ＮＷ経路監視装置２で検査することにより、前記任意の経路の障害検知および品質測定を行うことができる。
【００１５】
例えば、図示されているように、検査すべき経路の終端をＯＸＣ１１ｂの折り返しポート１３ｂとすれば、ＮＷ経路監視装置２は送出した光信号が帰還してきたか否か、あるいは帰還してきた光信号を調べることにより、ＯＸＣ１１ａと１１ｂを結ぶ経路に障害が発生しているか否かの検査をすることができる。なお、該障害の検知の詳細は後述する。
【００１６】
図３は、前記ＯＸＣ１１ａ〜１１ｄのより詳細な構造を示す説明図である。該ＯＸＣ１１ａ〜１１ｄは全て同じ構成であるので、該ＯＸＣ１１ａを代表に挙げて説明する。同図(a)は折り返しポート１３ａをＯＸＣの外部に設けた実施例、同図(b)は折り返しポート１４aをＯＸＣに内蔵させて設けた実施例である。なお、図中の矢を付けられた線は、該ＯＸＣ１１ａでスイッチングされた光信号、あるいは前記折り返しポート１３ａ、１４aで折り返された光信号を示す。
【００１７】
次に、本発明の一実施形態の動作を図４のフローチャートおよび図１を参照して説明する。
【００１８】
ステップＳ１では、前記ＮＷ経路監視装置２はネットワークトポロジの収集を行い、例えば運用・管理装置４中のデータベースの更新を行う。すなわち、光ネットワーク１のＯＸＣ（ノード）、ステーション等の物理的および／または論理的構成を収集し、前記データベースの更新を行う。ステップＳ２では、ＮＷ経路監視装置２はＮＷ経路制御装置３からの制御情報を基に未使用経路情報の収集を行う。ステップＳ３では、未使用経路の設定を行う。具体的には、ＮＷ経路監視装置２からＮＷ経路制御装置３に未使用経路の情報を送る。そうすると、該ＮＷ経路制御装置３は該未使用経路の形成に係わっているＯＸＣを選択しこれらをスイッチング制御して、検査すべき未使用経路を実現する。該未使用経路の終端は前記折り返しポートとなるように設定する。
【００１９】
ステップＳ３で未使用経路が設定されるとステップＳ４に進み、該未使用経路の品質測定を行う。すなわち、ＮＷ経路監視装置２から設定経路のビットレート、フォーマットなどの物理条件を考慮したビットレートの品質測定用の光信号を送出し、光の疎通、品質（ビット誤り率など）の測定などを実行する。なお、測定システムの装置の不具合もしくは光クロスコネクト装置の制御部分の不具合によりステップＳ３の設定が失敗の場合は、ステップＳ４をスキップしてステップＳ５に進む。
【００２０】
ステップＳ５では、ＮＷ経路監視装置２は前記ステップＳ４による品質測定結果またはステップＳ３の経路設定が失敗したことを前記運用・管理装置４に報告する。前記の障害検知の結果、前記経路に問題がある場合は、ＮＷ経路監視装置２は運用・管理装置４宛に警報を出すと共に、ネットワークの各ノードにその経路が使用不可能であることを通知する。一方、経路の信頼性が確認できた場合は、その証明を運用・管理装置４およびネットワークの各ノードに通知する。ステップＳ５の処理を終わると、再度ステップＳ１に戻って、前記した処理を繰り返す。この場合、ステップＳ３の検査する未使用経路の設定は、まだ検査の済んでいない他の経路であることは当然である。
【００２１】
次に、未使用経路に障害があると判定された場合は、該未使用経路経路上の各ＯＸＣの折り返しポートで前記品質測定用の光信号を経路の遠い方から近い方に向かって、あるいはその逆の方向に向かって、順次折り返すように経路を設定し、該各折り返しポートで折り返された光信号の品質を測定することにより、障害箇所がどこであるかを探索（障害箇所の特定）することができる。
【００２２】
以上のようにして得られた未使用経路の障害箇所、障害内容、障害なしなどといったステータス情報は、前記データベースに記憶される。したがって、該データベースを参照すれば、各経路の品質を含めた情報をいつでも確認でき、また障害発生時には即座に対処することが可能になる。また、新たな未使用経路もしくは経路が発生した場合や、使用中の経路が開放された場合は、データベースを更新して試験対象に加える。
【００２３】
光ネットワークでは、予備系で待機中の経路や、休止中の光経路などが存在するが、これらの非現用系の光経路はいつ接続要求がくるか分からないので、接続要求が来た時には即時利用可能な状態でなければならない。本実施形態によれば、このような非現用系の光経路の品質を予め確認しておくことができ、有用な発明である。また、本実施形態によれば、全自動的な定期監視が可能になる。
【図面の簡単な説明】
【００２４】
【図１】本発明の一実施形態の光ネットワーク経路監視システムのシステム図である。
【図２】前記光ネットワーク経路監視システムの一具体例を示すシステム図である。
【図３】光折り返し機能を備えた光クロスコネクトの説明図である。
【図４】本実施形態の動作を示すフローチャートである。
【符号の説明】
【００２５】
１・・・光ネットワーク、１１ａ〜１１ｇ・・・光クロスコネクト、２・・・ＮＷ経路監視装置、３・・・ＮＷ経路制御装置、１３ａ〜１３ｄ，１４a・・・折り返しポート、４・・・運用・管理装置。
【図１】
2006197095.tif 000003
【図２】
2006197095.tif 000004
【図３】
2006197095.tif 000005
【図４】
2006197095.tif 000006